(57)【要約】【課題】被加工物を間接加熱加工することにより得られた加工物において残存または付着した微生物を確実に殺菌し、その微生物による発酵を抑制または防止する。【解決手段】間接加熱手段１により被加工物を間接加熱して加工物１ａを得た後、搬送手段２で移送する。この搬送手段２で移送される加工物１ａに対して、殺菌線照射手段３により電子線を照射し、加工物１ａに残存する微生物を死滅して除去する。そして、前記のように搬送手段２を介して移送されると共に殺菌線照射手段３を介して殺菌された加工物１ａを、容器，袋等から成る密閉可能な貯留手段４に貯留保管する。【選択図】図１
2005187668.tif 000002
【特許請求の範囲】
【請求項１】
有機性物質が含まれた被加工物を間接加熱加工することにより得られる加工物に関するものであって、
前記の加工物に対して殺菌線を照射することにより、その加工物に残存または付着した微生物を殺菌することを特徴とする加工物の殺菌方法。
【請求項２】
前記の殺菌線は、電子線またはＸ線であることを特徴とする請求項１記載の加工物の殺菌方法。
【請求項３】
前記の加工物は、ゴミ固形化燃料または炭化物であることを特徴とする請求項１または２記載の加工物の殺菌方法。
【請求項４】
有機性物質が含まれた被加工物を間接加熱加工することにより得られる加工物に関するものであって、
前記の加工物に対して殺菌線を照射することにより、その加工物に残存または付着した微生物を殺菌し、
前記の殺菌された加工物を密閉可能な貯留手段に回収することを特徴とする加工物の回収システム。
【請求項５】
前記の貯留手段内に回収された加工物に対して、その貯留手段内の上部側から殺菌線を照射することを特徴とする請求項４記載の加工物の回収システム。
【請求項６】
前記の殺菌線は、電子線またはＸ線であることを特徴とする請求項４または５記載の加工物の回収システム。
【請求項７】
前記の加工物は、ゴミ固形化燃料または炭化物であることを特徴とする請求項４乃至６記載の加工物の回収システム。
【発明の詳細な説明】
【技術分野】
【０００１】
本発明は、間接加熱加工して得られる加工物の殺菌方法および回収システムであって、従来は廃棄されていた有機性物質を含んだ一般廃棄物や産業廃棄物（例えば、生鮮品，生鮮加工品、植物由来の端材物、プラスチック類を含む石油製品由来の高分子物質、汚泥，土壌，土砂等の各種含水物質）等の各種被加工物等を間接加熱加工して得られる加工物に係る殺菌方法または回収システムに関するものである。
【背景技術】
【０００２】
従来から、有機性物質を含んだ一般廃棄物や産業廃棄物（例えば、生鮮品，生鮮加工品、植物由来の端材物、プラスチック類を含む石油製品由来の高分子物質、汚泥，土壌，土砂等の各種含水物質）等の物質（以下、被加工物と称する）に関しては、間接加熱の還元性の雰囲気下にて乾燥，炭化，灰化，浄化等の加工（以下、間接加熱加工と称する）等が可能な手段（以下、間接加熱手段と称する）により、ゴミ固形化燃料（ＲＤＦ）や炭化物等の再利用可能な形態の物質（以下、加工物と称する）に加工し、その加工物を有効利用（例えば、燃料として利用し発電）する試みが成されている。
【０００３】
前記の被加工物には微生物が付着していることがあり、例えば比較的低温の雰囲気下（例えば、被加工物を乾燥する程度の間接加熱加工）に曝しても死滅せずに残存してしまうものもある。一般的に、間接加熱手段によって得られた加工物は、例えばベルトコンベア，振動フィーダ等の手段（以下、搬送手段と称する）を介して移送し、容器（タンク），袋等から成る貯留保管可能な手段（以下、貯留手段）に回収されるが、その回収された加工物に微生物が残存（または付着）している場合には該微生物の活動により発酵が起こり、可燃性のガス成分（例えば、メタンガス等）が発生し火災（例えば、保管手段や間接加熱手段等の火災）に至る恐れがある。
【０００４】
このため、前記の加工物に関して、微生物による発酵を防止する方法が種々検討され、例えば被加工物を間接加熱加工した後に該被加工物に対して石灰（例えば、消石灰，生石灰等），ドロマイト（または、焼成ドロマイト）等を加えることによりアルカリ性にし、被加工物に付着されている微生物の殺菌を行う技術が知られている（例えば、特許文献１，２）。
【特許文献１】特開平１０−１１０１７６号公報（段落［０００２］〜［０００６］等）。
【特許文献２】特開２０００−３１９６７７号公報（段落［０００２］〜［００１０］，［００２２］〜［００３７］等）。
【０００５】
なお、前記の加工物に係る方法とは異なるが、例えば粉末状，粒状，チップ状等の食品（例えば、胡椒，抹茶，穀物，茶葉，ワカメ，海苔等）に関して、その食品での微生物の繁殖等を防止するために該食品電子線により殺菌等の処理を施す技術が知られている（例えば、特許文献３）。
【特許文献３】特開２００３−２７９６９９号公報（段落［０００１］〜［０００４］等）。
【０００６】
また、前記のように間接加熱加工により炭化物を得る方法に関して、回転炉（例えば、キルン方式の回転炉）を備えた間接加熱手段を用い、その回転炉内に被加工物（動物性や植物性の廃棄物）を導入し該回転炉内を間接加熱することにより、前記の被加工物を間接加熱加工して炭化物を得る技術が知られている（例えば、特許文献４）。
【特許文献４】特開２００３−１２９０６２号公報（段落［０００５］〜［００１０］，図１等）。
【発明の開示】
【発明が解決しようとする課題】
【０００７】
前記のように間接加熱加工後に石灰によって殺菌して得られた加工物は、アルカリ性であり微生物等が繁殖し難い状態（石灰を加えない場合よりは繁殖し難い状態）ではあるが、その状態では微生物が繁殖する可能性も有るため、加工物に対する微生物の付着および繁殖を確実に防止することは困難であり、微生物による発酵が起こる恐れがある。
【０００８】
また、前記のように微生物には耐熱特性を有する種類が存在し、たとえ高温雰囲気下（例えば、炭化等の高温の間接加熱加工）に曝されても殺菌されずに生息するものが知られており、加工物に残存して発酵する恐れがある。
【０００９】
さらに、加工物に対して付着する微生物の多くは、間接加熱手段から得られた加工物を回収するために搬送手段で移送して貯留手段に貯留する際、大気に曝されて該大気中の微生物等（微生物，水分等）が付着するものと考えられる。なお、前記の加工物のうち炭化物においては、多孔質であるため微生物が比較的に付着し易い。
【００１０】
さらにまた、前記の加工物の多くは、容器等の密閉可能な貯留手段に貯留（例えば、一次的に貯留保管）されるが、該加工物に微生物が付着した状態で貯留されると、その貯留手段内にて微生物による発酵が起こり、可燃性のガス成分が発生し火災等に至る可能性がある。
【００１１】
本発明は、前記課題に基づいてなされたものであり、被加工物を間接加熱加工することにより得られた加工物において残存または付着した微生物を確実に殺菌し、その微生物による発酵を抑制または防止することが可能な加工物の殺菌方法および回収システムを提供することにある。
【課題を解決するための手段】
【００１２】
本発明は、前記課題の解決を図るために、請求項１記載の発明は、有機性物質が含まれた被加工物を間接加熱加工することにより得られる加工物に関するものであって、前記の加工物に対して殺菌線を照射することにより、その加工物に残存または付着した微生物を殺菌することを特徴とする。
【００１３】
請求項２記載の発明は、前記請求項１記載の発明において、殺菌線は、電子線またはＸ線であることを特徴とする。
【００１４】
請求項３記載の発明は、前記請求項１または２記載の発明において、加工物は、ゴミ固形化燃料または炭化物であることを特徴とする。
【００１５】
請求項４記載の発明は、有機性物質が含まれた被加工物を間接加熱加工することにより得られる加工物に関するものであって、前記の加工物に対して殺菌線を照射することにより、その加工物に残存または付着した微生物を殺菌し、前記の殺菌された加工物を密閉可能な貯留手段に回収することを特徴とする。
【００１６】
請求項５記載の発明は、前記請求項４記載の発明において、貯留手段内に回収された加工物に対して、その貯留手段内の上部側から殺菌線を照射することを特徴とする。
【００１７】
請求項６記載の発明は、前記請求項４または５記載の発明において、殺菌線は、電子線またはＸ線であることを特徴とする。
【００１８】
請求項７記載の発明は、前記請求項４乃至６記載の発明において、加工物は、ゴミ固形化燃料または炭化物であることを特徴とする。
【００１９】
本発明によれば、間接加熱加工により得られる加工物を単にアルカリ性にするのではなく殺菌線を照射するため、その加工物に微生物が残存または付着する可能性が有る場合においても、その微生物を確実に殺菌することができる。
【００２０】
また、前記の加工物を密閉可能な貯留手段に貯留保管する場合には、その貯留手段内の上部側から加工物に対して殺菌線を照射するため、貯留保管後の加工物に微生物が残存または付着する可能性が有る場合においても、その微生物を確実に殺菌することができる。
【発明の効果】
【００２１】
以上示したように本発明においては、単に加工物をアルカリ性にして殺菌を行うのではなく、加工物に対して殺菌線を照射する構成であるため、加工物に残存または付着した微生物を確実に殺菌することができ、微生物の発酵を抑制または防止することが可能、すなわち加工物の微生物に起因する火災等を防止し、加工物の殺菌方法，回収システムにおいて安全性を高めることが可能となる。
【発明を実施するための最良の形態】
【００２２】
以下、本発明の実施の形態における間接加熱加工された加工物の殺菌方法および回収システムを図面等に基づいて詳細に説明する。
【００２３】
本実施の形態は、例えば従来の加工物に係る技術のように単にアルカリ性にして殺菌を行うのではなく、間接加熱加工して得られた加工物に対し電子線，Ｘ線等の殺菌線を照射することが可能な手段（以下、殺菌線照射手段と称する）を用い、その加工物に残存または付着した微生物の殺菌（死滅させて除去）を行うものである。
【００２４】
図１は、本実施の形態における加工物の殺菌方法および回収システムの一例を示す概略説明図である。
【００２５】
図１において、符号１は例えば回転炉（例えば、キルン方式の回転炉）を備えた間接加熱手段を示すものであり、その回転炉内に被加工物（動物性や植物性の廃棄物）を導入し該回転炉内を間接加熱することにより、前記の被加工物を間接加熱加工して固形化燃料（例えば、粒状の固形化燃料；図１中では符号１ａ）を得ることが可能なものである。前記の間接加熱手段１により得られた加工物１ａは、振動フィーダ等の搬送手段２で移送（後述の貯留手段４に貯留保管等するため移送）される。
【００２６】
符号３は、前記のように搬送手段２で移送される加工物１ａに対して電子線を照射することが可能な殺菌線照射手段（例えば、電子線発生源から電子線を照射する構成の殺菌線照射手段）を示すものである。前記の殺菌線照射手段３によって電子線が加工物１ａに照射されると、その加工物１ａに残存する微生物は死滅して除去される。
【００２７】
そして、前記のように搬送手段２を介して移送されると共に殺菌線照射手段３を介して殺菌された加工物１ａは、容器，袋等から成る密閉可能な貯留手段（一例を図２に基づいて後述する）４に貯留保管される。
【００２８】
すなわち、図１に示したような構成によれば、前記の加工物１ａに関して搬送手段２で移送すると共に殺菌することができ、その殺菌後直ちに貯留手段４にて貯留保管することが可能であるため、たとえ加工物１ａを大気（微生物が存在する大気）に曝しながら移送して回収した場合においても、その加工物１ａにおいて微生物による発酵を抑制または防止することができる。したがって、加工物１ａの微生物に起因する火災等を防止することが可能となる。なお、前記の加工物１ａが貯留保管された貯留手段４は、例えば加工物１ａを燃料として利用する際に開封することができる。
【００２９】
図２は、図１における殺菌方法および回収システムに係る貯留手段の一例を示す概略説明図である。図２において、符号４０は有底筒状で加工物を貯留保管して密閉することが可能な容器を示すものである。この容器４０内の上部側には、該容器４０内に貯留保管された加工物１ａに対して電子線を照射することが可能な殺菌線照射手段４１が備えられる。
【００３０】
図２に示したような構成によれば、例えば加工物１ａが貯留保管された容器４０内に空間（例えば、容器４０内において、加工物１ａと該容器４０内の上部との間）が存在し、その空間内に浮遊する微生物が加工物１ａに付着しても、その加工物１ａを殺菌線照射手段４１によって殺菌し、該加工物１ａにおいて微生物による発酵を抑制または防止することができる。したがって、加工物１ａの微生物に起因する火災等を防止することが可能となる。なお、前記貯留手段４は、加工物１ａを貯留保管したまま所定箇所に移動してから、例えば加工物１ａを燃料として利用する際に開封することができる。
【００３１】
以上、本発明において、記載された具体例に対してのみ詳細に説明したが、本発明の技術思想の範囲で多彩な変形および修正が可能であることは、当業者にとって明白なことであり、このような変形および修正が特許請求の範囲に属することは当然のことである。
【００３２】
例えば、本実施形態によれば、種々の原料、例えば有機性物質（例えば、植物由来の端材物，プラスチック類を含む石油製品由来の高分子物質），無機性物質，各種含水物質（例えば、汚泥，土壌，土砂等）等の各種被加工物から、乾燥物，灰化物，土壌類の浄化物等の加工物を得ることができる。
【００３３】
また、間接加熱手段は、被加工物を間接加熱加工してゴミ固形化燃料や炭化物等の加工物を得ることが可能な手段であれば種々の形態のものを適用することができる。さらに、間接加熱手段での加工温度等は、例えば被加工物の種類や量に応じて種々変更することができる。
【図面の簡単な説明】
【００３４】
【図１】本実施の形態におけるの加工物の殺菌方法および回収システムの一例を示す概略説明図。
【図２】図１における殺菌方法および回収システムに係る貯留手段の一例を示す概略説明図。
【符号の説明】
【００３５】
１…間接加熱手段
１ａ…加工物
２…搬送手段
３，４１…殺菌線照射手段
４…貯留手段
【図１】
2005187668.tif 000003
【図２】
2005187668.tif 000004